(57)【要約】【課題】本発明の目的は、用紙の浮きを押さえる部材に付着した紙粉、ゴミ等の付着物を除去することが可能な記録装置を提供することである。【解決手段】シートに画像を記録する記録手段と、前記記録手段に対向して設けられた対向部材と、シートに接触してシートの浮きを押さえる接触手段と、前記接触手段に振動を付与する振動付与手段と、を有する。【選択図】    図５
2019038216.tif 000002
【特許請求の範囲】
【請求項１】
搬送されるシートに画像を記録する記録手段と、
前記記録手段に対向して設けられて、前記記録手段が記録する位置にシートを案内する案内手段と、
前記記録手段と前記案内手段との間に配置され、搬送されるシートに接触して前記記録手段からシートを離間する離間手段と、
前記離間手段に振動を付与する振動付与手段と、
を有することを特徴とする記録装置。
【請求項２】
前記離間手段は、シートの搬送方向において前記記録手段の上流側から下流側にわたって設けられるシート状の部材であることを特徴とする請求項１に記載の記録装置。
【請求項３】
前記離間手段から分離された分離物を吸引する吸引手段を有することを特徴とする請求項２に記載の記録装置。
【請求項４】
前記振動付与手段は、電源ＯＮ時、記録ジョブ前、または記録ジョブ後に前記離間手段に振動を付与することを特徴とする請求項２または請求項３に記載の記録装置。
【請求項５】
前記シート状の部材は、シートの搬送方向下流側が固定され、シートの搬送方向上流側から前記振動付与手段によって振動を付与されることを特徴とする請求項２乃至４のいずれか一項に記載の記録装置。
【請求項６】
前記振動付与手段よりシートの搬送方向下流側であって、前記記録手段よりシートの搬送方向上流側に設けられ、前記離間手段の前記記録手段の方向への移動を規制する規制部を有していることを特徴とすることを特徴とする請求項５に記載の記録装置。
【請求項７】
前記離間手段は、前記記録手段よりもシートの搬送方向下流側の部分であって、少なくとも前記記録手段による記録領域に対応する部分が、切り欠かれていることを特徴とする請求項２乃至６のいずれか一項に記載の記録装置。
【請求項８】
前記振動付与手段は、凸部を有する回転部材であり、
前記離間手段に振動を付与するときは、前記凸部が前記離間手段に接触するよう回転されることを特徴とする請求項２乃至７のいずれか一項に記載の記録装置。
【請求項９】
シートを搬送する搬送手段と、前記搬送手段を駆動する駆動手段の逆回転時に前記振動付与手段に駆動を伝達する伝達手段と、を有することを特徴とする請求項１乃至８のいずれか一項に記載の記録装置。
【請求項１０】
前記記録手段は、搬送されるシートにインクを吐出して記録することを特徴とする請求項１乃至９のいずれか一項に記載の記録装置。
【発明の詳細な説明】
【技術分野】
【０００１】
本発明は、シートに画像を記録する記録装置に関するものである。
【背景技術】
【０００２】
従来の記録装置について説明する。記録媒体に液体を吐出する液体吐出記録装置として、記録ヘッドから記録媒体に対してインク滴を吐出させて記録を行うインクジェット式記録装置がある。このインクジェット式記録装置は、記録ヘッドのノズルから記録媒体に対して微小なインク滴を吐出させて、所望の文字や図形等の画像を印刷する。記録ヘッドのノズルからインク滴を吐出させるため、装置本体には制御基板が設けられており、制御基板からの制御信号を記録ヘッドに伝達し、記録ヘッドのノズルからインク滴を吐出させる。インク滴の吐出方法として、ヒータを用いたものや圧電素子を用いたものがある。いずれも、制御基板からの制御信号により、ヒータまたは圧電素子を駆動し、ノズルからインク滴を吐出させる。
【０００３】
図１４、図１５は従来の液体吐出記録装置の記録ヘッドの印刷部の一例を示す概略図である。図中、５０はインク吐出ノズルを有する記録ヘッド（記録手段）、４４は平板プラテン、４５は用紙（記録媒体）、４６，４７は用紙４５を搬送するための搬送ローラである。
【０００４】
図１４は記録ヘッド５０と用紙４５との位置関係を示す概略図で、記録ヘッド５０と用紙４５（プラテン４４）とはギャップＧをもって対向配置されている。このギャップＧによって、吐出されたインクのドットの位置及びドット径が変わるため、このギャップＧを所定値に維持することは画質を保つために重要である。ギャップＧを所定値に維持するために、図１４に示すように、用紙の浮きを押える押圧ローラ４８が設けられている。さらに、この押圧ローラ４８に用紙の紙粉、ゴミが付着しないように、図１５に示すように、押圧ローラ４８の用紙搬送方向上流側に除電ブラシ４９が設けられている。この除電ブラシ４９が用紙表面に接触することで用紙は電気的に除電され、静電吸着していた紙粉、ゴミ、などが掻き落とされる。
【先行技術文献】
【特許文献】
【０００５】
【特許文献１】特開平７−８１１６６号公報
【発明の概要】
【発明が解決しようとする課題】
【０００６】
しかしながら、上記従来の構成では、印刷を繰り返すことで、除電ブラシ４９には紙粉、ゴミ等が蓄積されてしまい、除電ブラシ４９の清掃能力が低下してしまう。また、最終的には除電ブラシ４９に溜まったゴミ等が飽和してしまうと、除電ブラシ４９から落下し、用紙上に落下して記録ヘッド５０に付着すると印刷不具合を起こすことが懸念される。
【０００７】
そこで、除電ブラシに吸引手段を設け、除電ブラシの汚れを吸引により定期的に清掃する装置が提案されている（特許文献１）。しかしながら、特許文献１に開示されている構成では、除電ブラシをすり抜けて押圧ローラに到達してしまったゴミを除去することはできず、そのゴミが用紙あるいは記録ヘッドに付着してしまうおそれがある。
【０００８】
そこで、本発明の目的は、用紙の浮きを押さえる部材に付着した紙粉、ゴミ等の付着物を除去することが可能な記録装置を提供することである。
【課題を解決するための手段】
【０００９】
上記目的を達成するため、本発明は、搬送されるシートに画像を記録する記録手段と、前記記録手段に対向して設けられて、前記記録手段が記録する位置にシートを案内する案内手段と、前記記録手段と前記案内手段との間に配置され、搬送されるシートに接触して前記記録手段からシートを離間する離間手段と、前記離間手段に振動を付与する振動付与手段と、を有することを特徴とする。
【発明の効果】
【００１０】
本発明によれば、離間手段に紙粉等が付着しても、振動付与手段が離間手段に付与する振動により、離間手段から紙粉等の付着物を分離し、除去することができる。このため、接触手段に紙粉等が累積して付着することが無い。
【図面の簡単な説明】
【００１１】
【図１】第１実施形態の液体吐出記録装置の断面図
【図２】第１実施形態の液体吐出記録装置の断面図
【図３】第１実施形態の液体吐出記録装置の斜視図
【図４】第１実施形態の液体吐出記録装置の斜視図
【図５】第１実施形態の液体吐出記録装置の斜視図
【図６】（ａ）（ｂ）は第１実施形態の液体吐出記録装置の断面図
【図７】（ａ）（ｂ）は第１実施形態の液体吐出記録装置の断面図
【図８】第１実施形態の押さえ部材の動作を示す模式図
【図９】（ａ）（ｂ）は第１実施形態の搬送ユニットの駆動概略図
【図１０】印刷後の清掃動作説明のフローチャート
【図１１】電源ＯＮ時の清掃動作説明のフローチャート
【図１２】電源ＯＦＦ時の清掃動作説明のフローチャート
【図１３】清掃部材の他の形態を示す斜視図
【図１４】従来の液体吐出記録装置の断面図
【図１５】従来の液体吐出記録装置の斜視図
【発明を実施するための形態】
【００１２】
以下、図面を参照して、本発明の好適な実施の形態を例示的に詳しく説明する。ただし、以下の実施形態に記載されている構成部品の寸法、材質、形状、それらの相対配置などは、本発明が適用される装置の構成や各種条件により適宜変更されるべきものである。従って、特に特定的な記載がない限りは、本発明の範囲をそれらのみに限定する趣旨のものではない。
【００１３】
〔第１実施形態〕
以下、図１及び図２を用いて、第１実施形態に係る液体吐出記録装置について説明する。図１は第１実施形態に係る液体吐出記録装置（以下、記録装置）の概略断面図であり、図２は第１実施形態に係る液体吐出記録装置の上枠ユニットを回動した概略断面図である。
【００１４】
図１に示すように、記録装置１４には、給紙トレイ１６が設けてある。給紙トレイ１６上に積載されたシートとしての用紙（図示せず）は、給紙ローラ１７によって給紙され、分離部１８に搬送される。分離部１８では分離ローラ１９と分離パッド２０により、用紙は１枚ずつ捌かれた状態で搬送される。分離部１８で捌かれた用紙は、シートを搬送する搬送部（搬送手段）の搬送ベルト５と搬送ローラ２１により、画像形成部２３へ搬送される。搬送ベルト５には、ベルトとベルト駆動ローラ間での滑りによる搬送速度のズレが発生しないようにテンションローラ２５が設けてあり、所定のテンションをかけた状態で搬送ベルト５に駆動を伝達するようにしている。画像形成部２３において、搬送される用紙に画像を記録する記録手段として、信号（記録情報）に応じてインクを吐出して記録するインクジェット記録方式の記録ヘッドを用いている。用紙と画像との搬送方向の位置を合わせるため、画像形成部２３と搬送ローラ２１の間には用紙検知センサ（図示せず）が設けられている。用紙検知センサは、用紙の先端位置を検知する。この検知信号に基づいて、画像形成部２３における記録ヘッドのインク吐出タイミングと用紙の位置を合わせるように記録ヘッドからのインクの吐出が制御される。
【００１５】
次に画像形成部のインク吐出動作について説明する。記録装置１４はホストＰＣ（図示せず）と接続されており、ホストＰＣから送信される記録情報に基づいて、４つの液体吐出用の記録ヘッド（以下、ヘッド）１５Ｋ，１５Ｃ，１５Ｍ，１５Ｙから用紙にインクを吐出することで記録を行う。４つのヘッド１５Ｋ，１５Ｃ，１５Ｍ，１５Ｙは、用紙の搬送方向（矢印Ａ方向）に沿って配置されている。各ヘッドは搬送方向に黒インク用ヘッド１５Ｋ、シアンインク用ヘッド１５Ｃ、マジェンタインク用ヘッド１５Ｍ、イエローインク用ヘッド１５Ｙの順で互いに平行に配置されている。ヘッド１５Ｋ，１５Ｃ，１５Ｍ，１５Ｙは、いわゆるラインヘッドであり、用紙の搬送方向と交差する方向に沿ってノズルを所定の密度で配置したものである。ノズルの配置幅は、使用する用紙の最大記録幅以上の幅となっている。記録用紙に対し、ノズル幅を大きくとることで、各ヘッド１５を移動（走査）させることなく、ヘッド１５に設けられたヒータ（図示せず）を駆動することによってノズルからインクを吐出して記録を行うことができる。
【００１６】
また、ヘッド１５は、ヘッド１５を保持して移動を可能とするキャリッジ１１によって保持され、上下方向に移動可能となっている。ヘッド１５は、このキャリッジ１１の上下動作により、印刷位置、キャップ位置、クリーニング位置等の位置へ移動する。
【００１７】
それぞれの位置について説明すると、印刷を行わない待機時は、ヘッド１５はキャリッジ１１により上方に移動し、移動後のスペースにスライド移動してヘッド１５下方のノズルを覆うことでノズルの乾燥を防止するキャップ２により、ノズル部を密閉するキャップ位置で待機する（図２参照）。印刷、クリーニング動作を行っていない時、ヘッド１５はこの待機位置にいることになる。
【００１８】
次にノズルのクリーニングを行う際には、キャリッジ１１により、ヘッド１５をキャップ位置から上昇させ、ワイプ（図示せず）によりノズル面を拭くワイプ動作を行うため、クリーニング位置へ移動する。ワイプ動作が完了するとヘッド１５はノズルの乾燥を防ぐため、キャップ位置に移動する。
【００１９】
印刷を行う際は、待機位置から移動し、搬送部からの所定の距離をとる印刷位置までヘッド１５は移動する。このとき、ヘッド１５と用紙の距離、ギャップＧは所定の値の範囲内に維持することが重要である。ヘッド１５と用紙の距離が遠くなると、用紙に滴下されたインク滴の挙動がばらつき、滴下された位置もばらつくことになる。このインク滴のばらつきにより、画像の鮮明さがなくなり、ぼやけた画像となってしまう。逆にヘッド１５と用紙の距離が近すぎると、ヘッド１５に用紙が接触してしまうといった問題が発生する。
【００２０】
そこで、本実施形態の記録装置では、ヘッド１５と用紙のギャップＧを所定の値（ここでは１．５ｍｍ）に維持するため、搬送される用紙に接触してヘッド１５から用紙を離間する押さえ部材（離間手段）１が設けられている。この押さえ部材１は、ヘッド１５と案内手段（搬送ベルト５、プラテン３５）の間に配置されている。押さえ部材１は、用紙の搬送方向においてヘッド１５の上流側から下流側にわたって設けられるシート状の部材である。押さえ部材１の、ヘッド１５のノズルに対向する位置には開口２７（図５参照）が設けられている。押さえ部材１は、用紙がカールによって浮いて搬送された場合などに、用紙に接触して用紙を押さえ、ヘッド１５とのギャップＧを所定の値に維持するようにしている。
【００２１】
また、記録装置１４にはインク供給用のインクタンク３２Ｋ，３２Ｃ，３２Ｍ，３２Ｙが設けてある。このインクタンク３２Ｋ，３２Ｃ，３２Ｍ，３２Ｙとヘッド１５Ｋ，１５Ｃ，１５Ｍ，１５Ｙはチューブ（図示せず）によって連結されている。ノズルに発生する毛管力により、吐出されたインク消費分は自動で供給されるように、毛管力＞水頭差圧になるように、ヘッドのノズル吐出面とインクタンクの液面の高さの差は設定され、それぞれ記録装置の装置本体内に配置されている。さらにヘッド内のインク量は、ヘッド１５内のインク量をセンサ（図示せず）により検知し、インク量が所定より少なくなっている場合には、別に設けられたポンプ（図示せず）により、ヘッド内を負圧にし、インクをインクタンク３２から吸引し、ヘッド１５内に供給する仕組みを設けている。これらの仕組みにより、ヘッド１５内は所定のインク量を維持できるようになっているため、次の吐出を行うことが可能となっている。
【００２２】
このヘッド１５のインク吐出により、画像を記録された用紙は搬送ベルト５と搬送ベルト５に接する排出ローラ３０とにより、機外へ排出される。排出ローラ３０によって排出された用紙は、排紙トレイ３１に積載される。この排紙トレイ３１は駆動手段（図示せず）により、上下に昇降動作可能に本体に保持され、積載された用紙の積載枚数に応じて、排紙トレイ３１を上下させ、良好な積載状態を保つようになっている。
【００２３】
また、記録装置１４は図２に示すように、回転軸３３を中心に上枠ユニット３４を回動させることで、搬送ローラ２１、排出ローラ３０の搬送ベルト５に対するニップを解除することができるようになっている。この状態で、用紙が搬送部で紙詰まり（ＪＡＭ）を発生した場合でも、ユーザによって用紙を取り除くことができるようになっている。この時、ヘッド１５は待機位置にいる状態で、キャップ２により、ノズルが保護された状態にある。
【００２４】
次に、図３および図４を用いて、用紙を搬送する搬送ユニット４について説明する。図３、図４は搬送ユニットの斜視図である。
【００２５】
搬送ユニット４には、図３に示すように搬送ベルト５が３本設けてあり、搬送ベルト５を回転駆動させるための駆動モータ（駆動手段）６が設けてある（図４参照）。駆動モータ６のプーリ７からタイミングベルト８を介してベルト駆動ローラ９に駆動が伝達されるように構成されている。タイミングベルト８のベルトテンションを調整するため、テンショナ１０が設けられている。制御部の制御手段としてのＣＰＵ（図示せず）からモータ制御信号が駆動モータ６に伝達されるとプーリ７は矢印Ｂ方向に回転し、タイミングベルト８を介してベルト駆動ローラ９に駆動が伝達され、搬送ベルト５が矢印Ａ方向に回転され、搬送ベルト５により用紙が搬送される。一方で用紙の浮きを防止するために、搬送ユニット４には吸引ファン１２が設けてある。用紙を搬送する際には吸引ファン１２を駆動させ、搬送ベルト５に設けられた穴２８やプラテン３５に設けられた穴３６から用紙を下方に吸引し、用紙の浮きを防止するようにしている。しかし、この吸引ファン１２の吸引力を持ってしても、用紙のカールが大きい場合は端部の用紙浮きを押えることができない。そこで、本実施形態では、ヘッド１５と対向するプラテン３５上を案内される用紙に接触してヘッド１５から用紙を離間する離間手段としての用紙押さえ部材１が設けられている。プラテン３５は、ヘッド１５に対向して設けられ、ヘッド１５が記録する位置にシートを案内する案内手段である。
【００２６】
次に図５、図６および図７を用いて、ヘッド１５に用紙の浮きによる接触を防止する用紙押さえ部材１の構成およびその清掃動作について説明する。図５は第１実施形態の液体吐出記録装置の搬送ユニット近傍の斜視図である。図６（ａ）、図６（ｂ）および図７（ａ）、図７（ｂ）は第１実施形態の液体吐出記録装置の概略断面図である。
【００２７】
図５に示すように用紙押さえ部材１は薄いシート状の材料で構成され、搬送ユニット４の用紙搬送領域全域を覆うように構成されている。用紙押さえ部材１は、ヘッド１５へ用紙を案内するプラテン３５上に配置され、プラテン３５上を案内される用紙に接触して用紙の浮きを防止する。用紙押さえ部材１は、図６（ａ）に示すように用紙の搬送方向（矢印Ａ方向）においてヘッドを介して上流側から下流側にわたって設けられている。また、図６（ａ）に示すように、用紙押さえ部材１は、搬送方向下流側の排出ローラ３０のフレーム部（固定部２２）に固定され、搬送方向上流側は図３に示す搬送フレーム４１の切欠３９に下側（プラテン側）を支持される構成となっている。切欠３９による用紙押さえ部材１の支持は、用紙押さえ部材１のプラテン側の位置を規制するものである。さらに、図６（ａ）に示すように、ヘッド１５より用紙の搬送方向上流側に屈曲制御手段（規制部）３が設けられており、用紙押さえ部材１は屈曲制御手段３により上方向（ヘッドの方向）への移動が規制される構成となっている。また、用紙押さえ部材１は図６（ｂ）に示すように、ヘッド１５の吐出部４０と用紙Ｐとの間に配置され、プラテン３５上を案内される用紙Ｐにカールなどの紙浮きがあっても、その用紙Ｐに接触して用紙Ｐを押さえ、吐出部４０に用紙が触れることが無いように設けられている。さらに図５に示すように、用紙押さえ部材１にはヘッド１５の吐出部４０からのインク吐出のために開口２７が設けられている。この開口２７により、ヘッド１５からのインク吐出は妨げられることが無く、かつ用紙に浮きがあっても用紙押さえ部材１により用紙が押えられ、吐出部４０に用紙が接触すること無く、用紙への記録が可能となる。また、用紙押さえ部材１はヘッド１５と用紙Ｐの間に配置されていることで、ヘッド１５に紙粉、埃といった付着物（異物）が付着することを防止する効果も備えている。
【００２８】
次に用紙押さえ部材１の清掃動作について説明する。用紙押さえ部材１は、大量に印刷を続けていると、用紙からの紙粉や埃が付着し、蓄積されていく。これは、前述したように用紙押さえ部材１の機能として、用紙を押えるだけでなく、ヘッド１５への異物付着防止の効果も有しているためである。しかし、この用紙押さえ部材１への異物の蓄積は、放置しておくと異物が用紙に付着して印刷に不具合を起こすおそれがある。特に搬送方向上流側は、分離部での分離動作による紙粉の巻き上げや、搬送ローラ２１と用紙の摺擦による紙粉の飛び散りが多く、用紙押さえ部材１に対する異物の付着の量が多い。
【００２９】
そこで本実施形態では、ヘッド１５の搬送方向上流側に用紙押さえ部材１を振動させる振動付与手段としての清掃部材（回転部材）３７を設けている。図６（ａ）に示すように清掃部材３７は回転中心３８を中心として回転可能に支持されている。清掃部材３７には回転方向に複数（ここでは２箇所）の凸部４２が設けられている。清掃部材３７は、清掃を行わない時は図６（ａ）に示すように、凸部４２が用紙押さえ部材１と接触しない待機位置で停止している。一方、清掃動作を行う際には図７（ａ）、図７（ｂ）に示すように、清掃部材３７の凸部４２は矢印Ｃ方向に回転し、用紙押さえ部材１をプラテン３５から離れる方向（矢印Ｄ方向）へ持ち上げる。さらに回転を続けることで、用紙押さえ部材１と清掃部材３７との接触は凸部４２から凹部４３に移動し、用紙押さえ部材１は矢印Ｄ方向と逆の方向へ移動する。このとき、用紙押さえ部材１は矢印Ｄ方向へ持ち上げられる一方で、屈曲制御手段３により上方向（ヘッドの方向）の移動を規制される。この動作を模式図に表したのが図８である。図８に示すように、用紙押さえ部材１は、固定部２２と屈曲制御手段３の間は上下の移動の規制があるため、振幅５７は小さく押えられる。用紙押さえ部材１は、屈曲制御手段３から搬送方向上流側は、用紙押さえ部材１の上側（プラテン側）の規制が無いため、振幅５８は振幅５７に比べて大きくなり、清掃動作の効果も大きくなる。本実施形態では、ヘッドより搬送方向上流側の清掃効果を大きくするために、屈曲制御手段３を清掃部材３７より用紙の搬送方向下流側であって、ヘッドより用紙の搬送方向上流側に配置した。この清掃部材３７の回転を繰り返し行うことで用紙押さえ部材１は図８に示すように上下に振動する。この振動動作により、用紙押さえ部材１に付着した付着物が用紙押さえ部材１から分離される。さらにこの清掃動作の際には搬送ユニット４の吸引ファン（吸引手段）１２を駆動させ、プラテン３５や搬送ベルト５に設けられた穴３６，２８から吸引動作を行う。そのため、清掃部材３７により用紙押さえ部材１から分離された分離物（付着物）は、プラテン３５や搬送ベルト５に設けられた穴から吸引され、搬送ユニット４内のダストボックス（図示せず）に収容される構成となっている。
【００３０】
次に図９（ａ）、図９（ｂ）を用いて、清掃部材３７の駆動構成について説明する。図９（ａ）、図９（ｂ）は清掃部材３７の駆動構成を説明する断面図であり、その駆動構成を説明するためプラテン、フレーム等の枠体部材は非表示にしている。図９（ａ）、図９（ｂ）に示すように、清掃部材３７を駆動する構成は、搬送ユニット４を駆動する駆動モータ６の駆動力を用いている。
【００３１】
駆動モータ６（図４参照）の回転駆動力は、駆動モータ６のモータプーリ７からタイミングベルト８を介して搬送ベルト駆動ローラ９に伝達され、搬送ベルト５が回転駆動される。搬送ベルト５が駆動されると搬送ベルト５との摩擦力により、テンションローラ２５と従動ローラ５１に駆動が伝達される。また、テンションローラ２５にはギア５２が設けられ、このテンションローラギア５２の回転を駆動ギア５６を介して、清掃部材３７を駆動する清掃部材駆動ギア５３に伝達する構成となっている。しかし、清掃部材３７は清掃動作時のみ回転駆動すればよいので、清掃部材駆動ギア５３にはワンウェイクラッチ（伝達手段）５５が設けられ、図中矢印Ｈ方向には空転し、矢印Ｈ'方向には駆動を伝達する構成となっている。すなわち、清掃部材３７は、ワンウェイクラッチ５５の作用により、駆動モータ６の正回転時には駆動伝達が遮断されて回転せず、駆動モータ６の逆回転時に駆動が伝達されて回転する構成となっている。
【００３２】
次に清掃部材３７の実際の回転動作について説明する。図９（ａ）は通常の用紙搬送時の動作を説明する図であり、図９（ｂ）は清掃時の動作を説明する図である。
【００３３】
図９（ａ）に示す通常の用紙搬送時は、モータプーリ７は図中矢印Ｂ方向に回転する。この回転がタイミングベルト８を介して搬送ベルト駆動ローラ９に伝達され、搬送ベルト５は矢印Ｉ方向に回転する。このとき、搬送ベルト５のテンションローラ２５のテンションローラギア５２から、駆動ギア５６を介して清掃部材駆動ギア５３に駆動が伝達されるが、清掃部材駆動ギア５３に設けられたワンウェイクラッチ５５により、軸は空転し、清掃部材３７には駆動は伝達されない。
【００３４】
一方で、図９（ｂ）に示す清掃動作を行う際には、駆動モータ６を逆回転させ、モータプーリ７を図中矢印Ｂ'方向に回転させ、搬送ベルト５を図中矢印Ｉ'方向に回転させる。このとき、テンションローラ２５も逆回転し、テンションローラギア５２は図中矢印Ｅ'方向に回転する。このギア５２の回転が駆動ギア５６を介して清掃部材駆動ギア５３に伝達される。今度は、ワンウェイクラッチ５５は駆動連結方向の回転のため、清掃部材３７は図中矢印Ｈ'方向に回転する。清掃部材３７が回転すると、前述したように清掃部材３７により、用紙押さえ部材１は図中矢印Ｄ方向に上がり、その直後に下がるといった上下動作を繰り返す。さらに、本実施形態では清掃部材３７の位置を検知する検知手段としてのフォトセンサ５４が設けられており、清掃部材３７を検知して停止するように制御部のＣＰＵが制御している。このフォトセンサ５４により、清掃部材３７の回転回数をＣＰＵがカウントすることも可能となり、前回の清掃からの期間や、印刷条件（紙粉の多い用紙）によって、回転時間を増やし、清掃を行うことも可能である。
【００３５】
次に図１０のフローチャートを用いて制御部のＣＰＵが制御する清掃動作について説明する。図１０に示すように印刷動作が完了すると、ステップＳ１としてヘッドの乾燥を防ぐためにヘッドをキャップ位置へ移動する。次にステップＳ２として、清掃動作を行うかどうかを判断する。この判断は、ユーザによって設定可能であり、ここでは、前回の清掃動作から５００枚以上印刷を行ったときに、清掃動作を行う設定とした。この判断基準は、前回の清掃動作からの期間や、印刷するメディアの条件などの設定条件により、判断されるため、５００枚に限定されるものではない。本実施形態では、ステップＳ２で前回の清掃動作から５００枚以上印刷が行われているかを確認する。この清掃後の印刷枚数については記録装置本体の制御部のメモリに記録されている。ステップＳ２で清掃動作が必要（清掃後５００枚以上）と判断されると、ステップＳ３で搬送ユニットの吸引ファンを駆動し、吸引動作を開始する。次にステップＳ４で駆動モータ（搬送モータ）を逆回転させ、清掃部材３７による用紙押さえ部材１の清掃動作（振動付与動作）を行う。本実施形態では、この時の清掃時間（駆動モータの逆回転時間）もユーザによって設定できるようになっている。本実施形態では清掃時間を１０秒とした。ステップＳ４での所定時間後、駆動モータを停止させ、ステップＳ５として清掃部材の検知手段による位置検知（ホームポジション検知）を確認し、清掃動作終了となる。
【００３６】
なお、それぞれ各ステップ毎にエラー判定も行っている。具体的には、ステップＳ３で吸引ファンが回転しない場合は吸引ファン異常、ステップＳ４で駆動モータの回転が検知できない場合は駆動モータ異常、ステップＳ５で清掃部材の位置検知ができない場合、検知手段異常のエラーが検出され、ユーザにエラーを提示し、装置を停止させる制御となっている。
【００３７】
またここでは、清掃部材３７による押さえ部材１の清掃動作（振動付与動作）を印刷動作の完了後（記録ジョブ後）に行う場合を例示して説明したが、これに限定されるものではない。例えば印刷動作を開始する前（記録ジョブ前）、あるいは記録ジョブの前後にそれぞれ清掃動作を行うようにしても良い。また、記録装置の電源ＯＮ時、あるいは電源ＯＦＦ時に清掃動作を行うようにしても良い。以下、図１１、図１２のフローチャートを用いて電源ＯＮ時、電源ＯＦＦ時の清掃動作について説明する。
【００３８】
まず図１１のフローチャートを用いて電源ＯＮ時における制御部のＣＰＵが制御する清掃動作について説明する。図１１に示すように、ステップＳ１１として装置本体の電源がＯＮされると、次にステップＳ１２として、清掃動作を行うかどうかを判断する。この判断は、ユーザーによって設定可能であり、ここでは、前回の清掃動作から３０日以上経過した場合、清掃動作を行う設定とした。この判断基準は、前回の清掃動作からの期間や印刷枚数、印刷するメディアの条件などにより、判断されるものであり、３０日以上経過に限定されるものではない。電源ＯＮ時、ヘッドはノズルを乾燥を防ぐためキャップ位置にいることから、電源ＯＮ時はヘッドの移動は必要ない。そのため、電源ＯＮ後のステップＳ１２で前回の清掃動作から３０日以上時間が経過しているか確認する。清掃後の経過時間については記録装置本体の制御部のメモリに記録されている。ステップＳ１２で清掃動作が必要（清掃後３０日以上印刷）と判断されると、ステップＳ１３で搬送ユニットの吸引ファンを駆動し、吸引動作を開始する。次にステップＳ１４で駆動モータ（搬送モータ）を逆回転させ、清掃部材３７による用紙押さえ部材１の清掃動作（振動付与動作）を行い、所定時間経過後、動作を停止させる。次にステップＳ１５として清掃部材の検知手段による位置検知（ホームポジション検知）を確認し、清掃動作終了となる。なお、ユーザの設定可能要素である前回清掃からの経過時間の設定は、ユーザがＰＣのプリンタドライバを介して、プリンタ側に設定条件を設定できるようにしている。
【００３９】
次に図１２のフローチャートを用いて電源ＯＦＦ時における制御部のＣＰＵが制御する清掃動作について説明する。図１２に示すように、ステップＳ２１として装置本体の電源がＯＦＦ、厳密にはユーザにより電源スイッチがＯＦＦされると、ステップＳ２２として清掃動作を行うかどうかを判断する。この判断は、ユーザによって設定可能であり、ここでは、前回の清掃動作から８時間以上経過した場合、清掃動作を行う設定とした。この判断基準は、前回の清掃動作からの期間や印刷枚数、印刷するメディアの条件などにより、判断されるものであり、８時間以上経過に限定されるものではない。電源ＯＦＦ時、ヘッドはノズルの乾燥を防ぐためキャップ位置にいることから、電源ＯＦＦ時はヘッドの移動は必要ない。そのため、電源ＯＦＦ後のステップＳ２２で前回の清掃動作から８時間以上が経過しているか確認する。清掃後の経過時間については記録装置本体の制御部のメモリに記録されている。ステップＳ２２で清掃動作が必要（清掃後８時間以上経過）と判断されると、ステップＳ２３で搬送ユニットの吸引ファンを駆動し、吸引動作を開始する。次にステップＳ２４で駆動モータ（搬送モータ）を逆回転させ、清掃部材３７による用紙押さえ部材１の清掃動作（振動付与動作）を行い、所定時間後、動作を停止させる。次にステップＳ２５として清掃部材の検知手段による位置検知（ホームポジション検知）を確認し、清掃動作終了となる。なお、ユーザの設定可能要素である前回清掃からの経過時間の設定は、ユーザがＰＣのプリンタドライバを介して、プリンタ側に設定条件を設定できるようにしている。
【００４０】
上述したように、本実施形態によれば、押さえ部材１に紙粉等が付着しても、清掃部材３７が押さえ部材１に付与する振動により、押さえ部材１から紙粉等の付着物を分離し、除去することができる。このため、押さえ部材１に紙粉等が累積して付着することが無い。
【００４１】
〔他の実施形態〕
前述した実施形態では、ヘッド（記録手段）に対向して設けられた案内手段としてプラテンを例示して説明したが、これに限定されるものではない。例えば、プラテンではなく、搬送ベルトが案内手段として設けられた構成であってもよい。
【００４２】
また前述した実施形態では、押さえ部材１の、ヘッド１５のノズルに対向する位置に開口２７を設けた構成（図５参照）を例示したが、これに限定されるものではない。例えば、押さえ部材は、ヘッドよりもシート搬送方向下流側の部分であって、少なくともヘッドによる記録領域に対応する部分が、切り欠かれている構成であっても良い。図１３に示す押さえ部材１では、複数のヘッドのうちの、最もシート搬送方向下流側のヘッドのノズルに対向する位置（記録領域）に設けた開口２７が、そのヘッドよりもシート搬送方向下流側の部分が切り欠かれた構成となっている。このように構成することで、ヘッドより下流においてシート（用紙）の記録面が押さえ部材１に接触するのを防止できる。
【００４３】
また前述した実施形態では、異なる色のインクで記録する複数個のヘッドを用いるカラー記録用のインクジェット記録装置の場合を例示して説明したが、本発明はこれに限定されるものではない。例えば、１個のヘッドを用いるインクジェット記録装置、あるいは同一色彩で濃度の異なるインクで記録する複数のヘッドを用いる階調記録用のインクジェット記録装置など、ヘッドの数に関係なく同様に適用ができ、同様の作用効果を達成し得るものである。
【００４４】
更に記録手段（ヘッド）としては、ヘッドとインクタンクを別体としこれらをインク供給チューブで接続する構成のものを例示したが、これに限定されるものではない。例えば、ヘッドとインクタンクを一体化したカートリッジタイプのものなど、記録手段及びインクタンクの構成がどのようなものであっても、同様に適用することができ、同様の効果を達成し得るものである。
【００４５】
更に加えて、前述したインクジェット記録装置の形態としては、コンピュータ等の情報処理機器の画像出力端末装置として用いられるものの他、キャリッジにヘッド以外のスキャナ等を装着することが可能なインクジェット入出力装置、リーダ等と組み合わせた複写装置、更には送受信機能を有するファクシミリ装置の形態をとるもの等であっても良い。
【００４６】
また前述した実施形態では、記録装置の記録方式としてインクジェット記録方式を例示したが、これに限定する必要はない。他にも熱転写記録方式や感熱記録方式、更にはワイヤードット記録方式等のインパクト記録方式、或いはそれ以外の電子写真方式等の記録方式であっても適用し得る。
【符号の説明】
【００４７】
１    …押さえ部材（離間手段）
２    …キャップ
３    …屈曲制御手段（規制部）
４    …搬送ユニット
５    …搬送ベルト
６    …駆動モータ（駆動手段）
７    …プーリ
８    …タイミングベルト
９    …ベルト駆動ローラ
１０  …テンショナ
１１  …キャリッジ
１２  …吸引ファン（吸引手段）
１４  …記録装置
１５Ｋ，１５Ｃ，１５Ｍ，１５Ｙ …ヘッド（記録手段）
１６  …給紙トレイ
１７  …給紙ローラ
１８  …分離部
１９  …分離ローラ
２０  …分離パッド
２１  …搬送ローラ
２２  …固定部
２３  …画像形成部
２５  …テンションローラ
２７ …開口
３０  …排出ローラ
３１  …排紙トレイ
３２Ｋ，３２Ｃ，３２Ｍ，３２Ｙ …インクタンク
３３  …回転中心
３４  …上枠ユニット
３５  …プラテン
３７  …清掃部材（振動付与手段）
３９  …切欠
４１  …搬送フレーム
４２  …凸部
４３  …凹部
５５  …ワンウェイクラッチ
【図１】
2019038216.tif 000003
【図２】
2019038216.tif 000004
【図３】
2019038216.tif 000005
【図４】
2019038216.tif 000006
【図５】
2019038216.tif 000007
【図６】
2019038216.tif 000008
【図７】
2019038216.tif 000009
【図８】
2019038216.tif 000010
【図９】
2019038216.tif 000011
【図１０】
2019038216.tif 000012
【図１１】
2019038216.tif 000013
【図１２】
2019038216.tif 000014
【図１３】
2019038216.tif 000015
【図１４】
2019038216.tif 000016
【図１５】
2019038216.tif 000017